(57)【特許請求の範囲】
【請求項１】
便器ボウル部上縁に設けた中空リムのボウル部に臨む側が上方から死角となる部分がない角度でオーバーハングした案内凹部とされ、洗浄水を供給する噴出口は、汚物落下標準位置を中心とし、左右方向をＸ軸、前後方向をＹ軸とした平面座標で、Ｙ軸を基準として左右いずれかに配置され、その噴出口から供給された洗浄水が案内凹部に沿って旋回しつつボウル部を洗浄する水洗便器において、前記噴出口とはＹ軸を基準として反対側かつ洗浄水が通過する部分より上方にある前記案内凹部のオーバーハング部に臭気吸引口を形成し、前記便器の背面には前記中空リムよりも高くなった起立部が設けられ、この起立部に前記臭気吸引口につながる排気口が形成され、
前記臭気吸引口から排気口までをつなぐ通気路のうち少なくとも前記臭気吸引口
付近の通気路においては、該通気路の底面が前記臭気吸引口に向かって下り傾斜になっていることを特徴とする水洗便器。
【請求項２】
請求項１に記載の水洗便器において、前記臭気吸引口を設ける位置は、汚物落下標準位置を中心とした前記平面座標で、Ｘ軸を基準として±６０゜の範囲としたことを特徴とする水洗便器。
【発明の詳細な説明】
【技術分野】
【０００１】
本発明はボウル部に水平方向に吐出させた洗浄水を旋回させるようにした水洗便器に関する。
【背景技術】
【０００２】
従来の水洗便器はボウル部上縁に中空リムを設け、この中空リム内に洗浄水を供給し、中空リムの下面に形成した孔からボウル部に向けて洗浄水を流す構造になっている。
【０００３】
上記のようにリム通水タイプの水洗便器は中空リムの断面形状が矩形状をなし、大きくボウル部上方に張り出しているため、中空リムの下面とボウル部上端との間が上から隠されてしまい、清掃作業が面倒で汚れが残ってしまう不利があった。そこで、リム通水を行わずに、ボウル部上端をボウル部側に向かってオーバーハングした案内凹部とし、この案内凹部に水平方向から洗浄水を供給し、供給された洗浄水を案内凹部に沿ってほぼ一周旋回せしめてボウル部を洗浄するタイプの水洗便器が提案されている。（特許文献１）
【０００４】
一方、便器自体に臭気吸引口を設けて脱臭効果を高めるようにした水洗便器が特許文献２〜６に開示されている。
特許文献２には、ボウル部の上部に環状の水室を設け、ボウル部の側壁に前記水室につながる開口を形成し、更に前記水室よりも上方にボウル部に覆いかぶさる鰐部（フランジ部）を設け、この鰐部内に環状の排気室を設け、鰐部の下面に排気室につながる臭気吸引口を形成した内容が開示されている。
【０００５】
特許文献３には、ボウル部の上縁部に洗浄水の通水路となる断面矩形状をなす中空リムを設け、この中空リムの下を潜るようにボウル部の上部の左右に臭気吸引口を設け、この臭気吸引口と排気口とをつなぐ排気通路を臭気吸引口に向かって下り傾斜にした構造が開示されている。
【０００６】
特許文献４及び特許文献５には、便器後部のリム通水路の一部を壁にて区画し、ここに臭気吸引口を設け、この臭気吸引口と排気口とを排気通路でつなげた構造が開示されている。
【０００７】
特許文献６には、中空リムの下面に洗浄水の噴出口の他に臭気吸引口を設け、更に便器の後部に起立部を設け、この起立部に臭気吸引口につながる排気口を形成して排気口と臭気吸引口との間の傾斜を大きくする構造が開示されている。
【特許文献１】特開２００２−０９７７０４号公報
【特許文献２】特開昭５６−３９２４６号公報
【特許文献３】実開昭６０−８０１６９号公報
【特許文献４】実公平４−４２３８０号公報
【特許文献５】特開平７−２４３２３５号公報
【特許文献６】特許第２７２８１６７号
【発明の開示】
【発明が解決しようとする課題】
【０００８】
特許文献２〜６に開示される構造では、洗浄水は下方に流下するだけであるので、臭気吸引口から洗浄水が中空リム内に入り込むことはない。しかしながら中空リム自体がボウル部の上方に大きく張り出しているため、死角になる箇所が多く洗浄しにくい。このように大きく上方に張り出す中空リムを特許文献１に開示される旋回タイプの水洗便器に利用することはできない。
また、特許文献１に開示される旋回タイプの水洗便器の中空リムに単に臭気吸引口を形成しても、旋回する洗浄水が臭気吸引口から中空リム内に浸入してしまう。
【課題を解決するための手段】
【０００９】
上記課題を解決するため本発明に係る水洗便器は、便器ボウル部上縁に設けた中空リムのボウル部に臨む側が上方から死角となる部分がない角度でオーバーハングした案内凹部とされ、洗浄水を供給する噴出口は、汚物落下標準位置を中心とし、左右方向をＸ軸、前後方向をＹ軸とした平面座標で、Ｙ軸を基準として左右いずれかに配置され、その噴出口からこの案内凹部に供給された洗浄水が案内凹部に沿って旋回しつつボウル部を洗浄する水洗便器であって、前記案内凹部で旋回する洗浄水が通過する部分よりも上方位置に臭気吸引口を形成した。
【００１０】
旋回する洗浄水が通過する部分は、便器前方の案内凹部では洗浄水の勢いが強いためマイナス傾斜の部分まで多くの洗浄水が通過するが、洗浄水がほぼ一周した便器後部では洗浄水の勢いが弱くなっているため、マイナス傾斜の部分まで通過する洗浄水は少ない。したがって、便器後部の案内凹部に脱臭用の吸引口を開口させる場合には、マイナス傾斜の面に開口せしめればよい。
【００１１】
また、便器の背面には中空リムよりも高くなった起立部を設け、この起立部に臭気吸引口につながる排気口を形成し、臭気吸引口から排気口までは連続した上り傾斜とすることで、仮に臭気吸引口から洗浄水が侵入しても自動的にボウル部に戻すことができる。
【００１２】
また臭気吸引口の位置に関しては、便器の前部であると旋回する洗浄水の勢いが強いため、洗浄水が入りやすく、また小便も入りやすいため好ましくなく、便器の後部は洗浄水の導水路と干渉するため、汚物落下標準位置、即ち、便器上に載せられる便座の左右の固定ボルトを結ぶ線の中心から便器の前記Ｙ軸上へ１５０〜１７０ｍｍの位置を中心とし、左右方向をＸ軸、前後方向をＹ軸とした前記平面座標で、Ｘ軸を基準として±６０゜望ましくは±４５゜の範囲に臭気吸引口を設けることが好ましい。また、一方の側面に洗浄水の噴出口を形成する場合は反対側に臭気吸引口を設ける方が好ましい。
【発明の効果】
【００１３】
本発明によれば、洗浄水をボウル部上縁の案内凹部に沿って旋回させるタイプの水洗便器であっても、臭気吸引口から洗浄水が侵入することなく、また多少侵入しても自動的に洗浄水をボウル部に戻すことができる
したがって、本発明は複数の水洗便器を１つの排気装置で常時脱臭するようなパブリックトイレに極めて有効である。
【発明を実施するための最良の形態】
【００１４】
以下に本発明の実施の一例を添付図面に基づいて説明する。図１は本発明に係る水洗便器の平面図、図２は同水洗便器の縦断面図、図３は同水洗便器の背面図、図４は図２のＡ−Ａ線に沿った拡大断面図、図５は図２のＢ−Ｂ線に沿った断面図、図６は別実施例を示す図２と同様の図である。
【００１５】
便器のボウル部１は底部に汚物溜りとしての凹部２を有し、この凹部２に向かって第２の噴出口３が開口している。また凹部２から後方にはトラップ管路４が一体的に形成されている。
【００１６】
また、ボウル部１の上縁部には中空リム５が設けられている。この中空リム５は図４〜図６に示すように前記の前部から側部にかけては断面三角形状をなし、後部では断面矩形状をなしている。そして中空リム５のボウル部１に臨む内側面は洗浄水を導く案内凹部６とされている。この案内凹部６はボウル部１の中央に向かって緩やかに傾斜する棚部６ａと垂直線に対しマイナス角となったオーバーハング部６ｂとからなり、オーバーハング部６ｂのマイナス角は上方から死角となる部分がない角度にしている。
【００１７】
また、便器の背面部には水道などの加圧給水源につながる給水口７が形成され、この給水口７から伸びる通水路８が便器の後部に形成され、この通水路８を介して、平面視で便器の右側となるボウル部１の上縁部に設けた噴出口９に洗浄水を供給するようにしている。
【００１８】
噴出口９まで供給された洗浄水は噴出口９から水平方向前方に噴出され、噴出された洗浄水は案内凹部６に沿って便器上縁部をほぼ一周旋回してボウル部１上面の汚物を凹部２内へ流し込む。
【００１９】
一方、前記噴出口９とは反対側の平面視で便器の左側となるボウル部１の上縁部の案内凹部６には臭気吸引口１０が形成されている。この臭気吸引口１０を形成する平面視での位置は、汚物落下標準位置、即ち、便器上に載せられる便座の左右の固定ボルトを結ぶ線の中心から便器の前方方向（後述するＹ軸上）へ１５０〜１７０ｍｍの位置を中心とし、左右方向をＸ軸、前後方向をＹ軸とした平面座標で、Ｘ軸を基準として±６０゜の範囲、望ましくは±４５゜とする。＋６０°以上の箇所に形成すると、洗浄水が浸入しやすくなり、且つ吸引力も低下する。また−６０°以下とすると、通水路８と干渉することになるので、上記の範囲が好ましい。
【００２０】
また、臭気吸引口１０を形成する形成する高さ位置は、旋回する洗浄水が通過する部分よりも上方位置とする。具体的には、前記平面座標で、Ｘ軸を基準として±４５゜の範囲であれば、図４に示すように、オーバーハング部６ｂに形成すればよい。
【００２１】
前記臭気吸引口１０は便器の後部に形成した通気路１１を介して排気口１２に連通している。尚、上記した位置に臭気吸引口１０を形成しても、場合によっては若干の洗浄水が臭気吸引口１０から便器内に侵入することが考えられる。そこで、通気路１１の底面を臭気吸引口１０に向かって下り傾斜とすることが好ましい。
【００２２】
ところで、臭気吸引口１０はオーバーハング部６ｂに形成されているので、排気口１２との高低差を大きくとることはできない。そこで、図６に示すように、便器の後部に起立部１３を設け、この起立部１３に排気口１２を形成して充分な傾斜をつけるようにしてもよい。
【００２３】
以上において、排気口１２は図示しない排気装置に連結している。そして、複数の便器を並列したパブリックトイレなどでは共通の排気装置に複数の便器を接続して、常時排気する。また、１つの便器に対して１つの排気装置を用いる家庭用の場合には、洗浄水を旋回させて洗浄している間は排気を行わず、逆に通気路１１内を正圧として洗浄水の浸入を防ぐようにしてもよい。
【図面の簡単な説明】
【００２４】
【図１】本発明に係る水洗便器の平面図
【図２】同水洗便器の縦断面図
【図３】同水洗便器の背面図
【図４】図２のＡ−Ａ線に沿った拡大断面図
【図５】図２のＢ−Ｂ線に沿った断面図
【図６】別実施例を示す図２と同様の図
【符号の説明】
【００２５】
１…ボウル部、２…凹部、３…第２の噴出口、４…トラップ管路、５…中空リム、６…案内凹部、６ａ…棚部、６ｂ…オーバーハング部、７…給水口、８…通水路、９…噴出口、１０…臭気吸引口、１１…通気路、１２…排気口、１３…起立部。
【図１】
0004645224.tif 000002
【図２】
0004645224.tif 000003
【図３】
0004645224.tif 000004
【図４】
0004645224.tif 000005
【図５】
0004645224.tif 000006
【図６】
0004645224.tif 000007